(57)【特許請求の範囲】
【請求項１】
梁、桁などの横架材の端部に長手方向に重ね合わせるように取付けた接合板に下端開口の切欠を縦設し、該切欠の上縁側の奥端を受止する第一突子と、該第一突子より下側にして前記切欠に貫通状態にして係合する、適宜数の第二突子を、柱や胴差などの構造材の側面に突設し、前記第二突子に掛止する掛止ピンと前記第二突子の下縁に係止する係止ピンのそれぞれの嵌挿孔を横架材の前記端部の側面に横設した、横架材の接合装置。
【発明の詳細な説明】
【０００１】
【産業上の利用分野】
本発明は、木造建物の梁、桁などの横架材を、柱や胴差などの構造材に接合するために適用する横架材の接合装置に関するものである。
【０００２】
【従来の技術】
梁や桁などの横架材を柱や胴差などの構造材に接合するために、所謂ほぞ接合方式に代えて例えば、実開平４−２０５０３号公報記載のような接合金具方式のものが主流化しつつある。
【０００３】
【発明が解決しようとする課題】
前記公報記載の構造のものは、構造材の側面に接合金具を取付け、該接合金具に対して横架材の端面に設けたスリットを係合して接合することを基本とするため、プレカット工場等の工場からの出荷時には構造材である木材の側面より接合金具が突出した状態にあると運搬、取扱上不便であるため、現場で接合金具を木材に取付ける必要があり、そのため現場では騒音、工期の長期化等様々な不都合が生じる。
【０００４】
本発明は斯様な従来例の状況を勘案し、斬新な構造の、横架材の接合装置を提供することを目的として創案したものである。
【０００５】
【課題を解決するための手段】
梁、桁などの横架材の端部に長手方向に重ね合わせるように取付けた接合板に下端開口の切欠を縦設し、該切欠の上縁側の奥端を受止する第一突子と、該第一突子より下側にして前記切欠に貫通状態にして係合する、適宜数の第二突子を、柱や胴差などの構造材の側面に突設し、前記第二突子に掛止する掛止ピンと前記第二突子の下縁に係止する係止ピンのそれぞれの嵌挿孔を横架材の前記端部の側面に横設した構成とするのである。
【０００６】
【実施例】
図面は本発明に係る横架材の接合装置の一実施例を示し、図１は縦断面図、図２は横断面図、図３は接合金具の斜視図である。
【０００７】
実施例の接合装置は、横架材（実施例は梁）１の端部１´に接合金具Ａを取付け（固定し）、該接合金具Ａを介して前記横架材１を構造材（実施例では柱）２に接合するものである。
【０００８】
前記接合金具Ａは、接合板３の両側に取付板４を相対して連設した平面視コの字形の鋼板製枠体で成り、前記接合板３には上端部を残して下端開口状の切欠５を設け、この切欠５の長手方向（上下方向）に沿うようにして、掛止ピン６、係止ピン７および固定ピン８挿通用の透孔９，９´，９´´を取付板４に、取付板４，４間において互いに一致するように並設したものである。
【０００９】
掛止ピン６挿通用の透孔９と係止ピン７挿通用の透孔９´は、前記取付板４の、接合板３側の一側の近傍に、固定ピン８挿通用の透孔９´´は、他の一側側にそれぞれ配して縦方向に並設し、係止ピン７挿通用の透孔９´は最も下側に配した掛止ピン６挿通用の透孔９と対をなすように隣接して配してある。
【００１０】
横架材１の前記端部１´の側面にはこれら各透孔９，９´，９´´と一致するようにして嵌挿孔１０，１０´，１０´´を横設し、端面１ａには該嵌挿孔１０，１０´，１０´´と交叉するようにして係合溝１１を設け、係合溝１１に係合した前記接合金具Ａの取付板４に設けた一群の透孔９´´，９´´，９´´と端部１´側に設けた一群の透孔１０´´，１０´´，１０´´に前記固定ピン８をそれぞれ打ち込み嵌挿して、前記接合金具Ａは、接合板３が横架材１の長手方向に重ね合わせるようにして横架材端部１´に取付けてある。
【００１１】
係合溝１１は、接合金具Ａの取付板４，４間の外径幅とほぼ一致する径幅を備え、構造材２側に突設した第一突子１２Ａと第二突子１２Ｂが係合できる奥行幅を有する溝部１１Ａと該溝部１１Ａの奥壁の両隅部に溝部１１Ａを部分的に延長させて設けた一対のスリット部１１Ｂ，１１Ｂで構成してある。すなわち、前記接合金具Ａは、この係合溝１１の溝部１１Ａに、取付板４の接合板３側の一半を、スリット部１１Ｂ，１１Ｂに取付板４の他の一半をそれぞれ係合してスリット部１１Ｂに交叉するように横架材端部１´側面に設けた嵌挿孔１０´´および該嵌挿孔１０´´と一致するように配した取付板４側の透孔９´´に固定ピン８を打ち込み嵌挿して横架材１の端部に前記の通り、取付け固定したものである。
【００１２】
なお、この取付け状態において接合金具Ａの接合板３は、横架材１の端面１ａと面一にしてあるが、端面１ａより凹んでいても不都合はない。
【００１３】
前記第一、第二の各突子１２Ａ，１２Ｂは、構造材２を貫通させ、構造材２より突出させた螺子部１３にナット１４を螺合して取付けたボルト杆１２の頭部側で構成し、構造材２の側面に、接合金具Ａの切欠５或いは透孔９´，９´´や嵌挿孔１０，１０´と相対的に設定される位置関係にして縦方向に並設し、第一突子１２Ａは切欠５の上端側の奥端に、第二突子１２Ｂは、透孔９，９´や嵌挿孔１０，１０´とそれぞれ一致するようにして構造材２に突設したものである。
【００１４】
突子１２Ａ，１２Ｂに備えたテーパ縁１２Ａ´，１２Ｂ´（円錐台形体で構成した）は、横架材１の構造材２方向への引寄せ作用をするもので、第一突子１２Ａのテーパ縁１２Ａ´に接合板３の切欠５の上縁側の奥端で載ったとき、その傾斜により奥端は降下しつつ構造材２方向へ移動し、接合板３すなわち接合金具Ａを取付けた横架材１は構造材２方向へ引き寄せられることになり、また、第二突子１２Ｂのテーパ縁１２Ａ´の場合は、該テーパ縁１２Ａ´の一部が重なり合うようにして接合金具Ａに設けた透孔９又は透孔９´に掛止ピン６又は係止ピン７を挿通させたとき、掛止ピン６又は係止ピン７がテーパ縁１２Ａ´を相対的に押圧して透孔９又は透孔９´に挿通されることになり、ピン６又は７により押圧されたテーパ縁１２Ａ´すなわち突子１２Ａは定置状態にあるからピン６又は７側すなわちピン６又は７を組付けた接合金具Ａ側が構造材２方向に移動することになり、接合金具Ａを取付けた横架材１は構造材２方向へ引き寄せられることになる。
【００１５】
そして、横架材１に取付けた接合金具Ａの接合板３の切欠５に構造材２に突設した第一突子１２Ａ及び第二突子１２Ｂが相対的に係合するようにして横架材１を構造材２の側面に沿って降下させると、切欠５の上縁側の奥端が第一突子１２Ａに掛止し、横架材１は第一突子１２Ａに接合金具Ａを介して受止されて構造材２に仮接合される。この状態で透孔９と嵌挿孔１０に掛止ピン６を打ち込み、嵌挿すると、掛止ピン６は横架材１に横設、固定され第二突子１２Ｂに受止される位置に配され、横架材１側の荷重を第二突子１２Ｂに負荷させ、耐荷重強度を得られる。
【００１６】
また、掛止ピン６の打込み操作と相前後して透孔９´と嵌挿孔１０´に係止ピン７を打ち込み、嵌挿させると係止ピン７は下位の第二突子１２Ｂの下縁に接する位置にして横架材１に横設され、横架材１に下方から外力が負荷したとき、係止ピン７が下位の第二突子１２Ｂに係止して横架材１の浮き上りが防止される。
【００１７】
なお、第二突子１２Ｂ（これに対応する透孔９や嵌挿孔１０）の数は適宜選択すれば良く、また、係止ピン６は各突子（実施例では第一突子１２Ａと第二突子１２Ｂの全部）の全部又は適宜のものに設けても良い（実施例の配置に限定する必要はない）。
【００１８】
また、実施例では、コの字形の接合金具Ａの一部で接合板を構成してあるが、接合金具を例えばＴの字形と成してその一部で接合板を構成する等実施例の形状に限定する必要はない。
【００１９】
【発明の効果】
本発明は前記の通りの構成であるから、横架材を構造材に確実に接合することのできる斬新な構造の接合装置を提供できる。
【図面の簡単な説明】
【図１】縦断面図。
【図２】横断面図。
【図３】接合金具の斜視図。
【符号の説明】
１      横架材
１´    端部
２      構造材
３      接合板
５      切欠
６      掛止ピン
７      係止ピン
１２Ａ  第一突子
１２Ｂ  第二突子
【図１】
0003922875.tif 000002
【図２】
0003922875.tif 000003
【図３】
0003922875.tif 000004